(57)【要約】 【課題】干渉に対して低感応であるだけでなく、物理的な寸法が非常に小さいテレビ受信用アンテナを備える携帯端末装置を提供すること。【解決手段】  携帯端末装置は、一体化されたテレビ受像機（４）、これに接続されたテレビアンテナ（１）、無線信号を受信するための電界アンテナ及びテレビ信号を受信するための磁界アンテナを有する。テレビアンテナ（１）は、スイッチ（３）に接続された低ノイズ増幅器（２）に接続される。スイッチ（３）は、チャンネルセレクタを備えたテレビ受像機（４）に接続される。チャンネルセレクタは、テレビアンテナ（１）の共振周波数に同調させるためのチューナーユニット（６）制御用の制御電圧の出力部５を備える。テレビアンテナ（１）は、内側ループ（８）に磁気的に結合された導電性金属材料の閉ループ（８）を備える。内側ループは、ループ（８）の内部に、それと同じ平面内に配される。【選択図】図１
2008524958.tif 000002
【特許請求の範囲】
【請求項１】
送受信電話回路、前記回路に接続された少なくとも１つの送受信電話アンテナ、テレビ受像機（４）及び前記テレビ受像機に接続されたテレビアンテナ（１）を有する、セル−ないしは携帯電話のような携帯電話装置であって、
電話アンテナが電界アンテナであり、
テレビアンテナが磁界アンテナであることを特徴とする携帯電話装置。
【請求項２】
前記電界アンテナが多帯域アンテナであり、
前記磁界アンテナ（１）が周波数チャンネル選択用のチューナーユニット（６）を有することを特徴とする請求項１に記載の携帯電話装置。
【請求項３】
前記テレビ受像機（４）が、可変の制御電圧用の出力部（５）を有し、
前記制御電圧が前記チューナーユニット（６）に接続可能であることを特徴とする請求項２に記載の携帯電話装置。
【請求項４】
低ノイズの増幅器（２）が磁界アンテナ（１）とテレビ受像機（４）との間に電気的に接続されていることを特徴とする請求項１ないし３のいずれか一に記載の携帯電話装置。
【請求項５】
前記低ノイズの増幅器（２）が前記磁界アンテナ（１）に組み込まれていることを特徴とする請求項４に記載の携帯電話装置。
【請求項６】
前記低ノイズの増幅器（２）が前記テレビ受像機（４）に組み込まれていることを特徴とする請求項４に記載の携帯電話装置。
【請求項７】
前記チューナーユニット（６）の少なくとも一部が前記磁界アンテナ（１）に組み込まれていることを特徴とする請求項２ないし６のいずれか一に記載の携帯電話装置。
【請求項８】
前記チューナーユニット（６）が前記磁界アンテナ（１）に組み込まれていることを特徴とする請求項２ないし７のいずれか一に記載の携帯電話装置。
【請求項９】
前記磁界アンテナ（１）と前記テレビ受像機（４）との間において、スイッチ（３）を介して、２〜３ＧＨｚの周波数帯域において動作するＲＦユニット（２５）に電気的に接続されていることを特徴とする請求項１ないし８のいずれか一に記載の携帯電話装置。
【請求項１０】
前記磁界アンテナ（１）に含まれる内側ループ（１２，１２’，１２”）が前記ＲＦユニット（２５）に対するアンテナとして配されていることを特徴とする請求項９に記載の携帯電話装置。
【請求項１１】
前記磁界アンテナ（１）が端末装置のための外側ケーシング上またはその内部に配されていることを特徴とする請求項１ないし１０のいずれか一に記載の携帯電話装置。
【請求項１２】
前記磁界アンテナ（１）が端末装置のための内側ケーシング上またはその内部に配されていることを特徴とする請求項１ないし１０のいずれか一に記載の携帯電話装置。
【発明の詳細な説明】
【技術分野】
【０００１】
本発明は、送受信電話回路、該回路に接続された少なくとも１つの送受信電話アンテナ、テレビ受像機及び該テレビ受像機に接続されたテレビアンテナを含む、セル電話ないしは携帯電話のような携帯端末装置に関する。
【背景技術】
【０００２】
携帯端末装置（日常的な用語ではセル電話ないしは携帯電話）は、以前から、テレビ受信のための試みが行われてきたことが知られている。この場合、テレビ受像機は、携帯電話に組み込まれて（一体構成されて）おり、携帯電話のデイスプレイ部をその視覚表示ユニットとして使用する。
【発明の開示】
【発明が解決しようとする課題】
【０００３】
テレビ受像機は、長さが２０〜５０ｃｍの入れ子式のロッドアンテナとして通常構成される別体のアンテナを有するため、最近の携帯電話の寸法に比して非常にかさばったものになる。
【０００４】
携帯電話においてテレビ信号を受信するために以前から用いられた形式のロッドアンテナは、ある周波数に基本共振周波数を有しているが、２倍周波数、３倍周波数などにも共振周波数を有している。これは、ロッドアンテナが、近くの他の送信アンテナと一緒の環境において用いられ、携帯電話が最悪の場合にそれらの送信アンテナから１〜数ｃｍ程度しか離れていないとき、ロッドアンテナが干渉に対し非常に敏感になることを意味している。
【０００５】
ロッドアンテナが意図された（所定の）周波数以外で干渉に対し敏感になる傾向は、また、テレビ画像が良好になるようにするために通常は別のフィルターにより濾去される多量の不所望の信号が受信テレビ信号に含有されることを意味している。
【０００６】
更に、入れ子式（テレスコピック）のロッドアンテナは、製造費が非常に高く、外部作用に敏感であり、これらの理由のみによっても適切ではない。
【０００７】
本発明の目的は、従来の技術に内在的（固有）にある欠陥を除去するように、冒頭に述べた携帯端末装置を設計（デザイン）することにある。本発明は特に、干渉に対して低感度であるだけでなく、物理的な寸法が非常に小さいアンテナを備え得るように、携帯端末装置をテレビ受信用に設計することを目的としている。本発明はまた、テレビ受信に用いるアンテナが廉価にしかも簡単に製造され、また携帯電話内のアンテナの取り付け位置について比較的自由な携帯型装置を設計することを目的としている。
【課題を解決するための手段】
【０００８】
本発明の基礎をなす目的は、本発明による携帯端末装置が、電話アンテナが電界アンテナ（E-field antenna）であり、かつテレビアンテナが磁界アンテナ（H-field antenna）であることを、特徴とする場合に達成される。
【発明の効果】
【０００９】
これらの特徴の結果として、電界アンテナとして動作する従来のアンテナを電話用に用い得るという主要な利点が達成され、そしてこれらのアンテナは、それよって十分に検証された技術に従って、多帯域アンテナとして容易に設計できる。更に、一方では、磁界アンテナとしてテレビアンテナを構成することによって、構造サイズが著しく小型化されると共に、他方では、高度の選択性及び耐干渉性が達成される。更に、テレビアンテナの配置は、電界アンテナをテレビアンテナに用いた場合に比して問題を減ずる（less critical）であろう。
【発明を実施するための最良の形態】
【００１０】
以下に本発明を、添付図面を参照して一層詳細に説明する。
【００１１】
以下に、携帯電話を実施形態として、本発明を説明する。しかし、特許請求の範囲に記載の「携帯端末装置」という表現は、それ自体に電話回路を含むいかなる端末装置、例えば電話（機能）付きノート型パソコン（laptop）、も含むように、広く解釈されるものとする。
【００１２】
ラジオ−及びテレビ信号（Radio and TV signals）は、互いに直交する電界及び磁界を有する電磁界から成り立っている。ここで、電界（E-field）とは電圧場（voltage field）、磁界（H-field）とは磁場（magnetic field）である。従来は、特に、いわゆるＳＡＲ値が通常は低くなり得ることから、電界アンテナが携帯電話に用いられてきた。
【００１３】
本発明の対象が準拠を意図する規格は、４７０ＭＨｚないし７０２ＭＨｚの周波数範囲のデジタルテレビフオーマットとしてのＤＶＢ−Ｈ(Digital Video Broadcasting Handheld)である。しかしながら、本発明は、他のデジタル（テレビ）フオーマット及びアナログテレビに適用することもできる。
【００１４】
図１において、参照符号１は、テレビ受信用のアンテナ装置を示している。アンテナ装置は、低ノイズの増幅器２に接続され、増幅器２は、スイッチ３に接続されると共に、テレビ受像機４に接続されている。このスイッチの目的については後に詳細に説明する。テレビ受像機４は、チャンネルセレクタないしは周波数調節装置を備えている。このチャンネルセレクタは、アンテナ装置１の共振周波数を設定するためにアンテナ装置１に含まれたチューナーユニット６を制御するための制御電圧用の出力部（端子）５を備えている。このチューナーユニットは、前記の制御電圧用の入力部（端子）７を備えている。
【００１５】
前述したように、チューナーユニット６の目的は、特定のテレビチャンネルの中心周波数に対応するように選定された、単一の、明確に限定された共振周波数のみを受信するように、アンテナ装置１を同調させることにある。この設定された周波数の外側では、アンテナ装置１は、電磁放射のいかなる放射源も「見る（see）」（即ち感知する）ことはない。
【００１６】
図２は、アンテナ装置１の第１実施形態を詳示している。この図から分るように、アンテナ装置１は、閉ループ８を有し、この閉ループ８は、金属又は他の導電材からできていて、閉ループ８にはチューナーユニット６が接続されている。図示した実施形態では、閉ループ８は、円に近い形状になっているが、これは必要ではなく、ループの線の長さに比し適切な大きさの内接のないし囲まれた表面（inscribed or enclosed surface）を有する限り、多くの可変の形状を閉ループに付与することができる。
【００１７】
ループ８は、チューナーユニット６と直径方向に（diametrically）反対の所に、接地点９を有し、この接地点は、図示した実施形態では、同軸ケーブル１１中のスクリーンないしシース（screen）に、電線１０を介して接続され、この同軸ケーブルは、テレビ受像機４及び接地に、間接又は直接に接続されている（下記参照）。尚、ここに「直径方向に反対」とは、広く解されるものとし、接地点９の両側の、チューナーユニット６に至るループの（双方の）線分の長さがほぼ等しいことを意味している。この表現は、楕円、三角形、四角形又は多角形のループにも適用される。外側ループ８に沿った任意の箇所にチューナーユニット６を配することもできる。特に、内側ループ１２の近傍、図２で接地点９の右側又は左側にチューナーユニット６を配することも有用であり得る。
【００１８】
外側ループ８は、内側ループ１２にか又は外側ループ８とほぼ（一般的に）同じ形状とし得る接続ループに、実質的に磁気的に結合されている。
【００１９】
内側ループ１２は、その名前が示すように、外側ループ８の内側に、これと同一平面内に配され、一端が接地点９に接続されると共に、他端は、同軸ケーブル１１中のＲＦ線１３に接続されている。
【００２０】
ＤＶＢ−Ｈに通常用いられる周波数範囲、換言すれば４７０ないし７０２ＭＨzのために、外側ループ８は、約３ｃｍのオーダーの直径ないし横断的寸法を有していてもよい。内側ループ１２は、図２に略示したように、それに比例した小さな寸法とする。内側ループ１２は、外側ループ８に内接する面積の約１０％に相当する内接面積を有するようにする。
【００２１】
内側ループ１２は、物理的寸法が小さいため、外側ループ８に対して同調可能な共振周波数帯内の周波数よりも相当に高い固有の共振周波数を有することができる。即ち内側ループ１２には、１ないし３ＧＨｚのオーダーの、固有の共振周波数を付与することができる。外側ループ８は、このように高い周波数には不感応である。これは内側ループ１２が、Ｂｌｕｅｔｏｏｔｈ（商標）規格に整合する周波数帯域に同調され得ることを意味する。そのため、アンテナ装置１は、テレビ受信のためのすぐれた受像機である上に、例えばＢｌｕｅｔｏｏｔｈ又はＷＬＡＮ(Wireless Local Area Ｎetwork)用として、２．４ないし２．５ＧＨｚの周波数帯域において動作するアンテナにもなり得る。
【００２２】
内側ループ１２は、１５７５ＭＨｚの周波数のＧＰＳ又は１６７０〜１６７５ＭＨｚの周波数帯域のＬバンドにも使用されるように、その寸法（dimension）を定めること、及び／又は同調させることも可能である。Ｌバンドは米国において、特にＤＶＢ-Ｈによるテレビ放送に用いられている。
【００２３】
図１において、低ノイズ増幅器２とテレビ受像機４との間に配されたスイッチ３は、前記の機能を利用する際に用いられる。即ち、スイッチ３によれば、例えばＢｌｕｅｔｏｏｔｈユニット２５をアンテナ装置１に接続することが可能となる。
【００２４】
図３は、本発明によるアンテナ装置１に含まれるチューナーユニット６の好ましい一実施形態を示している。チューナーユニット６は、破線の枠６により示される。図３から分かるように、外側ループ８は、両端部がチューナーユニット６に入りこんで延在し、これらの端部がそれぞれバラクタダイオード（varicap diode）１４に接続されている。２つのバラクタダイオードは、接続点１６を通る電線１５を介して互いに接続されている。インダクタンス１７は、接続点１６に接続されると共に、電線１８を介して、テレビ受像機からの制御電圧用の、チューナーユニット６の入力部（端子）７に接続されている。また電線１８は、キャパシタンス２０を介して、接地１９に接続されている。
【００２５】
一実施形態によれば、テレビ受像機は、テレビ受信周波数に比例する、ほぼ０．５ないし３Ｖの範囲の制御電圧を入力部７に供給してもよい。この可変の制御電圧は、アンテナ装置１が正しい周波数に同調されるように、バラクタダイオード１４の容量を可変させる。
【００２６】
ループ８には、主としてテレビ受像機に、その入力信号として供給される電流が、受信時に生成される。従って、この電流をアンテナ装置１から引き出して他の方向に導くことは好ましくない。ループ８の電流は高周波電流であるため、インダクタンス１７は、非常に高いインピーダンスを生じ、電線１８を経て入力部７に至る電流漏洩を防止又は少なくとも著しく減少させる。インダクタンス１７を通過しうる高周波電流は、キャパシタンス２０を経て接地１９に流れるため、テレビ受像機の制御電圧用の出力部５が高周波電流から保護される。
【００２７】
図２において、内側ループ１２は、それ自身の導線から成るように記述することができる。それは、図示と相違して、単に物理的に、同軸ケーブル１１中のＲＦ線１３にかなりもっと近接して接地点９を配することができるためである。
【００２８】
アンテナ装置１の一変形実施形態を示す図４において、外側ループ８は、卵形ないしは楕円形の形状を備えている。しかしこの楕円形の形状は、ループ８の内接面積とループの線分の長さとの比が小さくなり過ぎないように、それほど（過度に）横長に、又は幅狭にならないようにする。またループ８は、図４に示したよりも尖鋭な縁部（ないし角部）を備えていてもよい。
【００２９】
図４の実施形態においては、内側ループ１２’は、図２の実施形態のものと多少相違している。内側ループ１２’も、ある線分長さ（１本）のＲＦ線１３から成り、このＲＦ線は、接続点２１においてループ８に接続されている。この実施形態においては、接地点９と接続点２１とは分離し、かつ別々である。またこの実施形態において、内側ループ１２’は、ＲＦ線１３が外側ループ８と交差する箇所と接続点２１との間の導線部分２２を有していると見ることができる。従って導線部分２２は、２つの機能を担い、外側ループ８の一部を構成すると共に、内側ループ１２’の一部も構成する。図５は本発明によるアンテナ装置１の更に別の一実施形態を示している。この図から明らかなように、この実施形態の外側ループ８は、矩形の形状を備えている。強調すべきことは、この矩形の長さ対幅の比は可変でき、その角部には、所望の丸みを付すこともできることである。
【００３０】
前述した各実施形態と同様に、この実施形態によるアンテナ装置は、制御電圧用の入力部７を備えたチューナーユニット６と、接地点９とを有している。この図から分かるように、接地点９は、チューナーユニット６と直径方向に反対の箇所にあるのではなく、外側ループ８の一方の長辺に沿っていくらかその中央からずれている。これは、前記の表現「実質的に直径方向に反対」が非常に広く解されるべきことを示している。
【００３１】
また、この図から更に明らかになるように、本実施形態におけるＲＦ線１３は、接地点９から離れる方向に導かれ、接続点２３において外側ループ８に接続されている。この実施形態によれば、内側ループ１２”にはＬ字形の形状が付与されている。さらに明らかなように、図４に示す実施形態と同様に、導線部分２４は、２つの機能を担い、外側ループ８の一部をなすと共に、内側ループ１２”の一部もなしている。
【００３２】
内側ループ１２、１２’、１２”には、その大きさ及び形状を変更することによって、固有の共振周波数を付与することができる。これは、２〜３ＧＨｚの周波数帯域において動作するＲＦユニット、例えばＢｌｕｅｔｏｏｔｈユニット、と共に使用し得る。
【００３３】
前述した磁界形のアンテナ装置１は、高選択性である。これは、電話周波数範囲の送信アンテナの近傍にアンテナ装置１を干渉のリスクなしに配し得ることを意味している。更に、このアンテナ装置１は、接地面、バッテリー、又はその他の干渉物の近傍に配することに対して電話の目的に通常使用されるアンテナの場合よりもかなり感応性が低い。従って、本発明によるアンテナ装置は、携帯電話の内部シェル内に取り付けてもよいし、携帯電話の外部シェルの完全に外側に、装飾用などとして取り付けてもよい。
【００３４】
従って、アンテナ装置１は、携帯電話の内部シェル又は外部シェルに含まれるプラスチック細部の金属化（metallization）によって構成することができる。プラスチック部品の金属化は、例えば、適宜の形式のＭＩＤ（Moulded Interconnect Device）技術によって実現し得る。他の製造工程を例示すると、ＩＭＤ（In Mould Decoration）技術、又はこれと密接に関連した技術であるＩＭＦ（In Mould Foiling）もしくはＩＭＬ（In Mould Labelling）などである。これらの技術は当業者には周知であり、これらの技術により、アンテナ装置とチューナーユニットの所定の部品とをキャステイング又はモールデイング工程によってプラスチック部品に容易に組み込む（ないし一体化構成する、integrated）ことができることになる。更に別の製造可能性は、後にプラスチック部品に固定したり、従来の回路カードに組み込んだりできるいわゆるフレックスフィルムの使用によって得られる。またアンテナ装置は、金属または導電性プラスチックス製の別の部品として製造してもよい。
【００３５】
図１に示した低ノイズの増幅器２は、本発明によるアンテナ装置１と完全に又は部分的に組み込む（ないし一体化構成する）ことができる。しかし増幅器２は、テレビ受像機４に組み込み（ないし一体化構成）してもよい。それに対応して、チューナーユニット６の少なくとも一部、また全部を、アンテナ装置１に組み込み（ないし一体化構成）してもよい。
【図面の簡単な説明】
【００３６】
【図１】携帯電話におけるテレビ受信用装置のブロック線図である。
【図２】携帯電話に配されたテレビ受信用アンテナの第１実施形態を示す。
【図３】図２のアンテナに配されたチューナーユニットの結線図である。
【図４】図２のアンテナの変形例を示す。
【図５】図２のアンテナの更に別の変形例を示す。
【符号の説明】
【００３７】
１        アンテナ装置
２        増幅器
３        スイッチ
４        テレビ受像機
５        出力部
６        チューナーユニット
７        入力部
８        （外側）ループ
９        接地点
１０        電線
１１        同軸ケーブル
１２        内側ループ
１３        ＲＦ線
１４        バラクタダイオード
１５        電線
１６        接続点
１７        インダクタンス
１８        電線
１９        接地
２０        キャパシタンス
２１        接続点
２２        導線部分
２３        接続点
２４        導線部分
２５        ブルートゥース（Ｂｌｕｅｔｏｏｔｈ）（商標）ユニット
【図１】
2008524958.tif 000003
【図２】
2008524958.tif 000004
【図３】
2008524958.tif 000005
【図４】
2008524958.tif 000006
【図５】
2008524958.tif 000007
【国際調査報告】
2008524958.tif 000008
2008524958.tif 000009
2008524958.tif 000010